(57)【要約】【課題】  建築用ブロックの縦貫通孔に好都合に適用してモルタルの消費を抑えることができる縦貫通孔用閉塞体を提供すること。【解決手段】  建築用ブロック（基本型ブロック４）の縦貫通孔１４に装着される縦貫通孔用閉塞体。この縦貫通孔用閉塞体は、縦貫通孔１４を閉塞するための閉塞体本体４４を備え、この閉塞体本体４４は、縦貫通孔１４内に挿入される周側壁４６と、この周側壁４６の一端部に設けられた端壁４８とを有し、周側壁４６は、端壁４８側の一端から他端に向けてテーパ状に拡径されている。このような閉塞体本体４４は、端壁４８側が上側となるように縦貫通孔１４に挿入される。この閉塞体本体４４の周側壁４６には、径方向内側への変形を容易にするためにスリット５２を設けるのが好ましく、このスリット５０の基部に孔５２を設けるのが更に好ましい。【選択図】  図４
2016020558.tif 000002
【特許請求の範囲】
【請求項１】
建築用ブロックの縦貫通孔に装着される縦貫通孔用閉塞体であって、前記縦貫通孔を閉塞するための閉塞体本体を備え、前記閉塞体本体は、前記縦貫通孔内に挿入される周側壁と、前記周側壁の一端部に設けられた端壁とを有し、前記周側壁は、前記端壁側の一端から他端に向けてテーパ状に拡径され、前記端壁側が上側となるように前記縦貫通孔に挿入されることを特徴とする縦貫通孔用閉塞体。
【請求項２】
前記閉塞体本体の前記周側壁には、前記他端から前記端壁側に延びるスリットが設けられ、前記スリットは、前記周側壁の他端側部における径方向の変形を許容することを特徴とする請求項１に記載の縦貫通孔用閉塞体。
【請求項３】
前記スリットの基部には、前記閉塞体本体の前記周側壁の前記他端部側の大きな変形を許容するための孔が設けられていることを特徴とする請求項２に記載の縦貫通孔用閉塞体。
【請求項４】
前記スリット及び前記孔は、前記閉塞体本体の前記周側壁の対向する部位に設けられていることを特徴とする請求項３に記載の縦貫通孔用閉塞体。
【請求項５】
縦貫通孔が設けられたブロック本体と、前記ブロック本体の前記縦貫通孔に装着される縦貫通孔用閉塞体とを具備し、前記縦貫通孔用閉塞体は、前記縦貫通孔を閉塞するための閉塞体本体を備え、前記閉塞体本体は、前記縦貫通孔内に挿入される周側壁と、前記周側壁の一端部に設けられた端壁とを有し、前記周側壁は、前記端壁側の一端から他端に向けてテーパ状に拡径され、前記端壁側が上側となるように前記縦貫通孔に挿入されることを特徴とする建築用ブロック。
【発明の詳細な説明】
【技術分野】
【０００１】
本発明は、建築用ブロックの縦貫通孔を閉塞するための縦貫通孔用閉塞体及びこれを用いた建築用ブロックに関する。
【背景技術】
【０００２】
一戸建て住宅の塀などを施工するのに建築用ブロックが広く使用され、複数の建築ブロックを所要の通りに積み重ねてブロック壁がつくられる。建築ブロックには各種のものが存在し、代表的なものとして、三つの縦貫通孔が設けられた基本型ブロック及び横筋（即ち、横方向に通る鉄筋）を挿通するための横筋溝が設けられた横筋型ブロックがあり、基本型ブロック及び横筋型ブロックの両端部には、縦筋挿通凹部が設けられ、横方向に隣接する一対の基本型ブロック（一対の横筋型ブロック）の縦筋挿通凹部が縦筋挿通孔を規定する。ブロック塀を施工する場合、基本型ブロックと横筋型ブロックとが横方向に並べられるとともに、上下方向に所要の通りに積み重ねられる。
【０００３】
例えば、ブロック塀を施工する場合、一対の基本型ブロック及び一対の横筋型ブロックにより規定される縦筋挿通孔を通して縦筋が挿通されるとともに、かかる縦筋挿通孔内にモルタルが充填され、充填されたモルタル及び挿通された縦筋を介して基本型ブロック及び横筋型ブロックが上下方向に積み重ねた状態で固定される。
【０００４】
このような建築用ブロックでは、横筋型ブロックに設けられた縦筋挿通孔を塞ぐためのモルタル流入防止具が提案されている（例えば、特許文献１参照）。このモルタル流入防止具は、施工の際に使用しない縦筋挿通孔（縦筋を挿通しない縦筋挿通孔）の上側に嵌合密着され、かく嵌合密着すると、縦筋挿通孔の上開口がこのモルタル流入防止具により閉塞される。従って、横筋型ブロックの横筋溝に充填したモルタルの一部が縦筋挿通孔内に流入することがなく、モルタルの無駄な消費を抑えることができる。
【先行技術文献】
【特許文献】
【０００５】
【特許文献１】特開２００８−３０８９４６号公報
【発明の概要】
【発明が解決しようとする課題】
【０００６】
しかしながら、上述したモルタル流入防止具では、次の通りの問題がある。即ち、ブロック塀の上にフェンスなどを設ける場合、ブロック塀の最上位のブロックに基本型ブロック及び横筋型ブロックが用いられ、この基本型ブロックの特定縦貫通孔内にモルタルが充填されるとともに、充填したモルタルにフェンスの支柱が埋設され、このようにしてフェンスの支柱がブロック塀に固定される。
【０００７】
この基本型ブロックには、支柱の間隔を調整するために複数個（例えば、３つ）の縦筋挿通孔が設けられているが、支柱を固定するために用いる縦貫通孔はそれらのうちの一つであり、そのために残りの縦貫通孔（例えば、残り二つのもの）についてはモルタルを充填して埋めるようになる。
【０００８】
このとき、モルタルの無駄な使用を抑えるために、残りの縦貫通孔を閉塞することも考えられるが、従来のモルタル流入防止具（特許文献１に開示されたもの）をそのまま使用することができず、この基本型ブロックの縦貫通孔に好都合に適用することができる縦貫通孔用閉塞体の実現が望まれている。また、ブロック塀の最上位に施工される基本型ブロックに関連して、モルタルの無駄な使用を抑えることができる建築用ブロックの実現が望まれている。
【０００９】
本発明の目的は、基本型ブロックの縦貫通孔に好都合に適用してモルタルの消費を抑えることができる縦貫通孔用閉塞体を提供することである。
【００１０】
また、本発明の他の目的は、モルタルの無駄な使用を押さえることができる建築用ブロックを提供することである。
【課題を解決するための手段】
【００１１】
本発明の請求項１に記載の縦貫通孔用閉塞体は、建築用ブロックの縦貫通孔に装着される縦貫通孔用閉塞体であって、前記縦貫通孔を閉塞するための閉塞体本体を備え、前記閉塞体本体は、前記縦貫通孔内に挿入される周側壁と、前記周側壁の一端部に設けられた端壁とを有し、前記周側壁は、前記端壁側の一端から他端に向けてテーパ状に拡径され、前記端壁側が上側となるように前記縦貫通孔に挿入されることを特徴とする。
【００１２】
また、本発明の請求項２に記載の縦貫通孔用閉塞体では、前記閉塞体本体の前記周側壁には、前記他端から前記端壁側に延びるスリットが設けられ、前記スリットは、前記周側壁の他端側部における径方向の変形を許容することを特徴とする。
【００１３】
また、本発明の請求項３に記載の縦貫通孔用閉塞体では、前記スリットの基部には、前記閉塞体本体の前記周側壁の前記他端部側の大きな変形を許容するための孔が設けられていることを特徴とする。
【００１４】
また、本発明の請求項４に記載の縦貫通孔用閉塞体では、前記スリット及び前記孔は、前記閉塞体本体の前記周側壁の対向する部位に設けられていることを特徴とする。
【００１５】
更に、本発明の請求項５に記載の建築用ブロックは、縦貫通孔が設けられたブロック本体と、前記ブロック本体の前記縦貫通孔に装着される縦貫通孔用閉塞体とを具備し、前記縦貫通孔用閉塞体は、前記縦貫通孔を閉塞するための閉塞体本体を備え、前記閉塞体本体は、前記縦貫通孔内に挿入される周側壁と、前記周側壁の一端部に設けられた端壁とを有し、前記周側壁は、前記端壁側の一端から他端に向けてテーパ状に拡径され、前記端壁側が上側となるように前記縦貫通孔に挿入されることを特徴とする。
【発明の効果】
【００１６】
本発明の請求項１に記載の縦貫通孔用閉塞体及び請求項５に記載の建築用ブロックによれば、閉塞体本体が縦貫通孔内に挿入される周側壁及びこの周側壁の一端部に設けられた端壁とを有し、この端壁が上側となるように縦貫通孔に挿入されるので、この端壁によって縦貫通孔を閉塞することができるとともに、モルタルの縦貫通孔への流入を少なくしてその消費量を抑えることができる。また、周側壁が端壁側の一端から他端に向けてテーパ状に拡径されているので、この端壁側がら挿入することによって、閉塞体本体を縦貫通孔に容易に挿入することができる。
【００１７】
また、本発明の請求項２に記載の縦貫通孔用閉塞体によれば、閉塞体本体の周側壁には、他端から端壁側に延びるスリットが設けられているので、このスリットによって、周側壁の他端側部における径方向内側への変形が容易となり、閉塞体本体を縦貫通孔によりスムースに挿入することができる。
【００１８】
また、本発明の請求項３に記載の縦貫通孔用閉塞体によれば、スリットの基部に孔が設けられているので、閉塞体本体の周側壁の他端部側を大きく径方向内側に変形させることが可能となり、閉塞体本体を一層スムースに縦貫通孔に挿入することができる。
【００１９】
更に、本発明の請求項４に記載の縦貫通孔用閉塞体によれば、スリット及び孔が閉塞体本体の周側壁の対向する部位に設けられているので、閉塞体本体の周側壁の他端部側を径方向内側に（即ち、相互に近接する方向に）更に大きく変形させることができ、閉塞体本体を更にスムースに縦貫通孔に挿入することができ、またこの他端部側からでも縦貫通孔に挿入することができる。
【図面の簡単な説明】
【００２０】
【図１】本発明に従う建築用ブロックの一実施形態を用いて施工したブロック塀の一部を示す断面図。
【図２】図１のブロック塀に用いた基本型ブロックの一例を示す斜視図。
【図３】図１のブロック塀に用いた横筋型ブロックの一例を示す斜視図。
【図４】図２の基本型ブロックの縦貫通孔に縦貫通孔用閉塞体を挿入した状態を示す断面図。
【図５】図４の縦貫通孔用閉塞体を拡大して示す斜視図。
【発明を実施するための形態】
【００２１】
以下、添付図面を参照して、本発明に従う建築用ブロック（及びこれに用いる縦貫通孔用閉塞体）の一実施形態について説明する。図１〜図３において、図示のブロック塀２は、図２に示す基本型ブロック４及び図３に示す横筋型ブロック６を上下方向に積み重ねて構成されている。
【００２２】
図２において、この基本型ブロック４は、直方体状の基本ブロック本体８を備え、この基本ブロック本体８の両端部に縦筋挿通凹部１０が設けられ、縦筋挿通凹部１０は、基本ブロック本体８の上端から下端まで延びている。この縦筋挿通凹部１０の横断面形状は略半円形状であり、図１に示すように、この基本型ブロック４を横方向に並べて設置したとき、隣接する一対の基本型ブロック４の隣接する縦筋挿通凹部１０は、その横断面形状が略円形状の縦筋挿通孔１２（図１参照）を規定する。
【００２３】
この基本型ブロック４では、基本ブロック本体８に横方向に間隔をおいて複数（この形態では、三つ）の縦貫通孔１４が設けられ、これら縦貫通孔１４は、基本ブロック本体８の上端から下端まで延びている。縦貫通孔１４は、その横断面形状が略円形状に形成されている。基本型ブロック４としては、上述した形態に限定されず、その他の形態の基本型ブロック、例えば縦貫通孔の横断面形状が略矩形状（例えば、角が丸い矩形状）である形態のものなどを用いることもできる。
【００２４】
図３において、図示の横筋型ブロック６は、直方体状の横筋ブロック本体１６を備え、この横筋ブロック本体１６の両端部に縦筋挿通凹部１８が設けられ、縦筋挿通凹部１８は、横筋ブロック本体１６の上端から下端まで延びている。この縦筋挿通凹部１８の横断面形状は略半円形状であり、図１に示すように、この横筋型ブロック６を横方向に並べて設置したとき、隣接する一対の横筋型ブロック６の隣接する縦筋挿通凹部１８は、その横断面形状が略円形状の縦筋挿通孔２０（図１参照）を規定する。
【００２５】
この横筋ブロック本体１６の上端部には、横方向（図１及び図３において左右方向）に延びる横筋溝２２が設けられ、この横筋溝２２は、横筋ブロック本体１６の一端(図１及び図３において左端）から他端（図１及び図３において右端）まで延びている。横筋溝２２は、その縦断面形状が略半円形状に形成されている。横筋型ブロック６としては、上述した形態に限定されず、その他の形態の横筋型ブロック、例えば横筋溝の縦断面形状が略矩形状である形態のもの、横筋ブロック本体１６に下面から上方に延びる空間凹部が設けられた形態のものなどを用いることもできる。
【００２６】
基本型ブロック４及び横筋型ブロック６を用いたブロック塀２の施工、またこのブロック塀２へのフェンス３２の施工は、例えば、次の通りにして行われる。主として図１を参照してブロック塀２の施工について説明すると、まず、地面にコンクリートで基礎３４を設け、この基礎３４を設ける際に、横方向に所定間隔をおいて縦筋３６（例えば、鉄筋）を埋設し、このように埋設した縦筋３６は、基礎３４の上面から上方に延びる。
【００２７】
次いで、この基礎３４の上に基本型ブロック４を図１に示すように載置する。この実施形態では、基本型ブロック４の二つおきに縦筋３６が配設されるように構成されており、従って、一対の縦筋３６間に設置される一対の基本型ブロック４の一方（例えば、図１において左側のもの）においては、その一端部（図１において左端部）の縦筋挿通凹部１０内に一方（図１において左方）の縦筋３６が位置するように基礎３４に載置し、またそれらの他方（例えば、図１において右側のもの）においては、その一端部（図１において右端部）の縦筋挿通凹部１０内に他方の縦筋６が位置するように基礎３４に載置し、このようにして横方向に連続的に載置する。
【００２８】
そして、隣接する基本型ブロック４により規定される縦筋挿通孔１２（即ち、一対の基本型ブロック４の縦筋挿通凹部１０により規定される縦筋挿通孔１２）内にモルタルＭを充填する。このようにモルタルＭを充填すると、基本型ブロック４がモルタルＭを介して基礎３４に固定され、また隣接する基本型ブロック４がモルタルＭを介して相互に固定され、このようにして基礎３４に載置した基本型ブロック４が上下方向及び横方向に固定され、ブロック塀２の一段目の施工が終了する。
【００２９】
次に、一段目の基本型ブロック４の上に横筋型ブロック６を積み重ねて載置する。基本型ブロック４と同様に、一対の縦筋３６間に設置される一対の横筋型ブロック６の一方（例えば、図１において左側のもの）においては、その一端部（図１において左端部）の縦筋挿通凹部１８内に一方（図１において左方）の縦筋３６が位置するように基本型ブロック４の上に載置し、またそれらの他方（例えば、図１において右側のもの）においては、その一端部（図１において右端部）の縦筋挿通凹部１８内に他方の縦筋３６が位置するように基本型ブロック４の上に載置し、このようにして横方向に連続的に載置する。
【００３０】
そして、隣接する横筋型ブロック６により規定される縦筋挿通孔２０（即ち、一対の横筋型ブロック６の縦筋挿通凹部１８により規定される縦筋挿通孔２０）内にモルタルＭを充填する。このようにモルタルＭを充填すると、横筋型ブロック６がモルタルＭを介して下側の基本型ブロック４に固定され、また隣接する横筋型ブロック６がモルタルＭを介して相互に固定され、このようにして一段目の基本型ブロック４に載置した横筋型ブロック６が上下方向及び横方向に固定され、ブロック塀２の二段目の施工が終了する。
【００３１】
その後、二段目の横筋型ブロック６（横方向に連続して設置されている）の横筋溝２２内に横筋３８（例えば、鉄筋）を挿通し、この横筋溝３８にモルタルＭを充填した後に基本型ブロック４を載置して、上述したと同様にしてブロック塀２の三段目の施工を行う。このようにブロック塀２の三段目を施工すると、横筋型ブロック６の横筋溝２２に充填したモルタルＭを介して下側の横筋型ブロック６と上側の基本型ブロック４とが上下方向に固定されるとともに、隣接する基本型ブロック４により規定される縦筋挿通孔１２に充填したモルタルＭによって、基本型ブロック４がモルタルＭを介して横筋型ブロック６に固定され、更に隣接する基本型ブロック４がモルタルＭを介して相互に固定され、このようにしてブロック塀２の三段目の施工が終了する。
【００３２】
しかる後、三段目の基本型ブロック４の上に横筋型ブロック６を載置して、二段目の横筋型ブロック６の施工と同様にして基本型ブロック４の上に横筋型ブロック６を積み重ねてブロック塀２の四段目を施工し、更に、四段目の横筋型ブロック６の上に基本型ブロック４及び横筋型ブロック６を載置して、三段目の基本型ブロック４と同様にして横筋型ブロック６の上に五段目の基本型ブロック４及び横筋型ブロック６を積み重ねてブロック塀２の五段目（即ち、この形態では、最上位）を施工し、このようにしてブロック塀２を施工する。尚、図１に示すように、フェンス３２の支柱４０が固定される個所には基本型ブロック４が設けられ、その他の個所（この支柱４０が固定されない個所）には横筋型ブロック６が用いられ、図１の実施例では、基本型ブロック４と横筋型ブロック６とが横方向に交互に配設されている。
【００３３】
上述したようにブロック塀２を施工した後に、ブロック塀２の上面を後述するようにして完成させるとともに、このブロック塀２にフェンス３２を後述するように設置する。フェンス３２の取付けについては、ブロック塀２の最上位の基本型ブロック４の所定の縦貫通孔１４内にモルタルＭを充填し、かく充填したモルタルＭ内にフェンス３２の支柱４０を挿入すればよく、充填したモルタルＭが硬化することにより、ブロック塀２に支柱４０が固定される。
【００３４】
また、最上位の基本型ブロック４の残りの縦貫通孔１４（支柱４０が取り付けられない縦貫通孔１４）については、縦貫通孔１４内に縦貫通孔用閉塞体４２を挿入した後に、その上側にモルタルＭを充填して縦貫通孔１４を埋めてその上面（即ち、最上位の基本型ブロック４の上面）をきれいに平坦に仕上げ、また最上位の横筋型ブロック６の横筋溝２２内にモルタルＭを充填して埋めてその上面（即ち、横筋型ブロック６の上面）をきれいに平坦に仕上げる。
【００３５】
ここで、主として図４及び図５を参照して縦貫通孔用閉塞体４２について説明すると、図示の縦貫通孔用閉塞体４２は、基本型ブロック４の縦貫通孔１４内に挿入される閉塞体本体４４を備え、この閉塞体本体４４は全体としてカップ状であり、外形が略円筒状の周側壁４６と、この周側壁４６の一端部に設けられた端壁４８とを有し、主としてこの端壁４８が縦貫通孔１４を閉塞する。
【００３６】
この実施形態では、閉塞体本体４４の周側壁４６は、一端（端壁４８が設けられた端部側）から他端に向けてテーパ状に拡径されており、このように拡径形状に構成することによって、縦貫通孔１４への一端側からの挿入を容易に行うことができる。
【００３７】
この形態では、更に、閉塞体本体４４の周側壁４６には、その他端から一端に向けて直線状のスリット５０が設けられ、このスリット５０は閉塞体本体４４の全高の略１／２〜３／４まで延びており、このようにスリット５０を設けることにより、閉塞体本体４４の他端側部の径方向内方への変形が可能となり、縦貫通孔１４への挿入をよりスムースに行うことができる。
【００３８】
このスリット５０の基部には、図４及び図５に示すように、孔５２を設けるのが望ましい。このように孔５２を設けることによって、閉塞体本体４４の他端側部を径方向内方へより大きく変形させることができ、例えば、基本型ブロック４の縦貫通孔１４内への挿入を一層スムースに行うことができる。
【００３９】
閉塞体本体４４の他端側部の径方向内側への変形を更に大きくするためには、このスリット５０（或いは、スリット５０及び孔５２）を周側壁４６の相互に対向する部位（即ち、周方向に１８０°の間隔をおいた部位）に設けるのが好ましく、このように構成することによって、閉塞体本体４４の他端側からでも縦貫通孔１４内に容易に且つスムースに挿入することが可能となる。
【００４０】
このような縦貫通孔用閉塞体４２は、例えば、ブラスチックの一体成形により形成することができ、紙、金属などから形成するようにしてもよい。基本型ブロック４の縦貫通孔１４の大きさは、製造メーカなどによって幾分異なっており、従って、縦貫通孔用閉塞体４２も縦貫通孔１４の大きさに対応する適宜の大きさにすることができ、この縦筋貫通孔用閉塞体４２の大きさは、例えば、閉塞体本体４４の一端部（即ち、端壁４８）の外径Ｄ１：７ｃｍ、閉塞体本体４４の他端部の外径Ｄ２：９ｃｍ、閉塞体本体４４の高さＨ２：１７ｃｍ、スリット５０の長さＨ３：９ｃｍ、孔５２の内径：８ｍｍ程度に形成される。
【００４１】
このような縦貫通孔用閉塞体４２は、最上位の基本型ブロック４を横筋型ブロック６の上に載置する前に、図４に示すように、その縦貫通孔１４内に一端側（端壁４８側）から挿入され、このように縦貫通孔用閉塞体４２が挿入される基本型ブロック４が、本明細書における建築用ブロックとなる。そして、基本型ブロック４の所要の縦貫通孔１４に縦貫通孔用閉塞体４２を挿入した後に横筋型ブロック６の上に載置して上述したように固定される。尚、この縦貫通孔用閉塞体４２を挿入した状態においては、閉塞体本体４４の端壁４８と基本型ブロック４の上面との間の間隙Ｔ（図４参照）は、１〜５ｃｍ、好ましくは２〜３ｃｍ程度であるのが好ましく、この間隔Ｔが１ｃｍ以下になると、モルタルＭの充填量が少なくて縦貫通孔用閉塞体４２が外部に露呈するおそれがあり、またこの間隔Ｔが５ｃｍ以上になると、モルタルＭの充填量が多くなって無駄に消費することになる。
【００４２】
この縦貫通孔用閉塞体４２を用いた場合、その他端側（端壁４８が設けられていない側）からも縦貫通孔１４内に挿入することができ、それ故に、縦貫通孔１４内に挿入するのを忘れて基本型ブロック４を下側の横筋型ブロック６に固定したときにおいても、基本型ブロック４を取り外すことなく、上側から所望の縦貫通孔１４内に縦貫通孔用閉塞体４２を挿入することができ、挿入忘れの際にも対応することができ、施工のし易いものとして提供することができる。
【００４３】
以上、本発明に従う建築用ブロック（及びこれに用いる縦貫通孔用閉塞体）の一実施形態について説明したが、本発明はこれら実施形態に限定されず、本発明の範囲を逸脱することなく種々の変形乃至修正が可能である。
【００４４】
例えば、上述した実施形態では、縦貫通孔用閉塞体４２を基本型ブロック６の縦貫通孔１４に適用して説明したが、この縦貫通孔用閉塞体４２は、この基本型ブロック４に限定されず、縦貫通孔が設けられたその他の型の建築用ブロックに広く適用することができる。
【符号の説明】
【００４５】
２  ブロック壁
４  基本型ブロック
６  横筋型ブロック
１０，１８  縦筋挿通凹部
１２，２０  縦筋挿通孔
１４  縦貫通孔
２２  横筋溝
３６  縦筋
３８  横筋
４２  縦貫通孔用閉塞体
４４  閉塞体本体
４６  周側壁
４８  端壁
５０  スリット
５２  孔
Ｍ  モルタル
【図１】
2016020558.tif 000003
【図２】
2016020558.tif 000004
【図３】
2016020558.tif 000005
【図４】
2016020558.tif 000006
【図５】
2016020558.tif 000007